(57)【要約】【課題】がたつき音の発生を抑えることができる芳香剤を提供する。【解決手段】容器体１１を容器本体２１と蓋体２３とで構成し、容器本体２１の天面４１に揮散孔４２，・・・を設ける。容器体１１の両側部に、周面に沿って上下方向に延在するリング状の溝５１，５１を形成し、各溝５１，５１に弾性体６１，６１を取り付ける。各弾性体６１，６１を、溝５１，５１より突出する外径寸法に設定し、各弾性体６１，６１を容器体１１の外表面より外側へ突出させる。これにより、芳香剤１を自動車や冷蔵庫のドアポケット７１に収容した状態で弾性体６１，６１がドアポケット７１の内側面７２に当接する。【選択図】図１
2014050491.tif 000002
【特許請求の範囲】
【請求項１】
収容した薬剤を容器体に開設された揮散孔から揮散する芳香剤において、
前記容器体の外周面に弾性体を突出させた状態で設け、当該容器体をドアポケットに収容した状態で該ドアポケットの内側面に前記弾性体が当接するように構成したことを特徴とする芳香剤。
【請求項２】
前記容器体を、容器本体と、該容器本体の開口部を閉鎖する蓋体とで構成する一方、
前記弾性体をリング状に形成し、該弾性体で前記容器本体と前記蓋体とを包囲するように取り付けたことを特徴とする請求項１記載の芳香剤。
【請求項３】
前記容器体に、該容器体の周面に沿って延在するリング状の溝を形成し、該溝内に前記弾性体の一部を配置して取り付けたことを特徴とする請求項２記載の芳香剤。
【請求項４】
前記容器体を直方体形状に形成し、該容器体の両側部に前記溝を形成したことを特徴とする請求項３記載の芳香剤。
【請求項５】
前記弾性体を前記容器体の角部に設けたことを特徴とする請求項１記載の芳香剤。
【発明の詳細な説明】
【技術分野】
【０００１】
本発明は、ドアポケットに収容される芳香剤に関する。
【背景技術】
【０００２】
従来、自動車等のドアポケットに収容できる芳香剤が知られている（例えば、特許文献１参照。）。
【０００３】
この芳香剤の容器本体は、プラスチックにより円柱状に形成されており、該容器本体は、ヒンジで連結された第１容器と第２容器とで構成されている。
【０００４】
この容器本体を前記ヒンジで折曲した閉状態では、容器本体が平面視円形を成す円柱形状となるように構成されており、前記ヒンジを平坦に延ばした展開状態では、前記両容器部が横並びに並設され、両容器部が直線状に配置されるように構成されている。
【０００５】
この展開状態を形成することで、当該容器本体を自動車のドアポケットに収容できるように構成されている。
【先行技術文献】
【特許文献】
【０００６】
【特許文献１】特開２００７−１７５３１０号公報
【発明の概要】
【発明が解決しようとする課題】
【０００７】
しかしながら、このような従来の芳香剤にあっては、ドアポケット内でがたつくことがある。
【０００８】
このとき、前記容器本体はプラスチックで形成されているため、がたつき音が発生するという問題があった。
【０００９】
本発明は、このような従来の課題に鑑みてなされたものであり、がたつき音の発生を抑えることができる芳香剤を提供することを目的とするものである。
【課題を解決するための手段】
【００１０】
前記課題を解決するために本発明の請求項１の芳香剤にあっては、収容した薬剤を容器体に開設された揮散孔から揮散する芳香剤において、前記容器体の外周面に弾性体を突出させた状態で設け、当該容器体をドアポケットに収容した状態で該ドアポケットの内側面に前記弾性体が当接するように構成した。
【００１１】
すなわち、冷蔵庫や自動車のドアポケットに収容した際には、容器体の外周面に突出して設けられた弾性体が前記ドアポケットの内側面に当接する。
【００１２】
このため、容器体のドアポケット内側面への直接当接が防止され、がたつき音の発生が防止される。
【００１３】
このとき、この芳香剤は、前記容器体に設けられた弾性体がドアポケット内側面に当接している。このため、ドアの開け閉め等による不用意な移動が防止される。
【００１４】
そして、前記弾性体は、前記容器体の外周面より突出するように構成されている。このため、揮散孔とドアポケット内側面とが対向する場合であっても、前記揮散孔が設けられた容器体の外周面とドアポケット内側面との間に間隙が形成される。
【００１５】
また、請求項２の芳香剤においては、前記容器体を、容器本体と、該容器本体の開口部を閉鎖する蓋体とで構成する一方、前記弾性体をリング状に形成し、該弾性体で前記容器本体と前記蓋体とを包囲するように取り付けた。
【００１６】
すなわち、前記容器体は、容器本体と、該容器本体の開口部を閉鎖する蓋体とで構成されており、収容された薬剤の交換が可能となる。
【００１７】
そして、前記弾性体はリング状に形成されており、該弾性体は前記容器本体と前記蓋体とを包囲するように取り付けられる。
【００１８】
これにより、当該弾性体によって前記蓋体の離脱を防止でき、前記容器本体の不用意な開放が防止される。また、前記蓋体と前記容器本体との嵌合精度が低い場合でも、前記蓋体と前記容器本体とを固定することが可能になる。
【００１９】
さらに、請求項３の芳香剤では、前記容器体に、該容器体の周面に沿って延在するリング状の溝を形成し、該溝内に前記弾性体の一部を配置して取り付けた。
【００２０】
すなわち、前記容器体には、該容器体の周面に沿って延在するリング状の溝が形成されており、該溝内に前記弾性体の一部を配置された状態で当該弾性体が取り付けられる。
【００２１】
このため、取り付けた弾性体のずれが防止され、弾性体の不用意な離脱が防止される。
【００２２】
加えて、請求項４の芳香剤にあっては、前記容器体を直方体形状に形成し、該容器体の両側部に前記溝を形成した。
【００２３】
すなわち、前記容器体は直方体形状に形成されており、該容器体の両側部に前記溝が形成されている。
【００２４】
このため、前記各溝内に前記弾性体の一部を配置して取り付けた状態では、前記容器体の両側部の各弾性体が前記ドアポケットの内側面に当接する。
【００２５】
また、請求項５の弾性体においては、前記弾性体を前記容器体の角部に設けた。
【００２６】
すなわち、前記弾性体は、前記容器体の角部に設けられている。
【００２７】
前記容器体の角部が直接ドアポケットの内側面に当接することが防止される。
【発明の効果】
【００２８】
以上説明したように本発明の請求項１の芳香剤にあっては、冷蔵庫や自動車のドアポケットに収容した際には、容器体の外周面に突出して設けられた弾性体が前記ドアポケットの内側面に当接するため、容器体のドアポケット内側面への直接接触が防止され、がたつき音の発生を抑えることができる。
【００２９】
このとき、この芳香剤は、前記容器体に設けられた弾性体がドアポケット内側面に当接している。このため、ドアの開け閉め等による不用意な移動を防止することができる。
【００３０】
そして、前記弾性体は、前記容器体の外周面より突出するように構成されており、揮散孔がドアポケット内側面と対向する場合であっても、前記揮散孔が設けられた容器体の外周面とドアポケット内側面との間に間隙を確保することができる。
【００３１】
これにより、揮散薬剤の揮散通路を確保することができるため薬剤の揮散効率が向上するととともに、揮散した薬剤によりドアポケットの内側面を痛めることを防止することができる。
【００３２】
また、請求項２の芳香剤においては、前記容器体が容器本体と、該容器本体の開口部を閉鎖する蓋体とで構成されており、収容された薬剤の交換が可能となる。
【００３３】
そして、前記弾性体はリング状に形成されており、該弾性体は前記容器本体と前記蓋体とを包囲するように取り付けられる。
【００３４】
このため、当該弾性体によって前記蓋体の離脱を防止でき、前記容器本体の不用意な開放を防止することができる。これにより、がたつき音発生防止効果と、蓋体の離脱防止効果とを得ることができる。
【００３５】
さらに、請求項３の芳香剤では、前記容器体に該容器体の周面に沿って延在するリング状の溝が形成されており、該溝内に前記弾性体の一部が配置された状態で当該弾性体が取り付けられる。
【００３６】
このため、取り付けた弾性体のずれを阻止し、弾性体の不用意な離脱を防止することができる。
【００３７】
加えて、請求項４の芳香剤にあっては、前記容器体は直方体形状に形成されており、該容器体の両側部に前記溝が形成されている。
【００３８】
このため、前記各溝内に前記弾性体の一部を配置して取り付けた状態において、前記容器体の両側部の各弾性体を前記ドアポケットの内側面に当接することができる。
【００３９】
また、請求項５の弾性体においては、前記弾性体が前記容器体の角部に設けられている。
【００４０】
このため、前記容器体角部のドアポケット内側面への当接を防止することができる。これにより、がたつき音の発生を抑えることができる。
【図面の簡単な説明】
【００４１】
【図１】本発明の第一の実施の形態を示す説明図である。
【図２】同実施の形態の分解図である。
【図３】同実施の形態の使用状態を示す説明図である。
【図４】（ａ）同実施の形態の第二の実施の形態を示す図で、（ｂ）同実施の形態の第三の実施の形態を示す図で、（ｄ）同実施の形態の第四の実施の形態を示す図である。
【図５】（ａ）同実施の形態の第五の実施の形態を示す図で、（ｂ）同実施の形態の第六の実施の形態を示す図である。
【発明を実施するための形態】
【００４２】
（第一の実施の形態）
【００４３】
以下、本発明の第一の実施の形態を図に従って説明する。
【００４４】
図１は、本実施の形態にかかる芳香剤１を示す図であり、該芳香剤１は、自動車や冷蔵庫等のドアポケットに収容されて使用されるものである。
【００４５】
この芳香剤１は、容器体１１を備えており、該容器体１１はプラスチックで形成されている。この容器体１１は、直方体形状に形成されており、各角部が丸められている。
【００４６】
前記容器体１１は、図２にも示すように、下方へ向けて開口した矩形容器状の容器本体２１と、該容器本体２１の開口部２２を閉鎖する蓋体２３とで構成されており、該蓋体２３は、上方開口状の矩形容器状に形成されている。該蓋体２３の上縁からは、内嵌部２４が延出しており、該内嵌部２４が前記容器本体２１の前記開口部２２内に内嵌されるように構成されている。
【００４７】
前記内嵌部２４の側面には、凸条３１が形成されており、当該内嵌部２４を前記容器本体２１内に内嵌した状態で、前記凸条３１が前記容器本体２１内面に形成された凹溝と係合して抜け止めとして機能するように構成されている。
【００４８】
前記容器本体２１の天面４１には、円形の揮散孔４２，・・・が複数設けられており、当該容器本体１１内の揮散体４３から揮散された薬剤を外部へ放出できるように構成されている。前記天面４１の内側面には、両長辺から中心方向へ向けて複数のリブ４５，・・・が延出しており、対向するリブ４５，４５間には、間隙が形成されている。対向するリブ４５，４５間には、前記揮散体４３が保持されており、該揮散体４３は、薬剤が含浸された矩形板状の不織布によって構成されている。
【００４９】
前記容器体１１の両側部には、該容器体１１の周面に沿って上下方向に延在するリング状の溝５１，５１が形成されている。この溝５１，５１は、断面円弧状に形成されており、前記容器本体２１の前面から前記天面４１を介して裏面に渡って延設されている。前記溝５１，５１は、前記蓋体２３において、その前面から底面５２を介して裏面に渡って延設されており、当該蓋体２３を前記容器本体２１に装着した状態で、前記各溝５１，５１が、前記容器体１１の前面と天面４１と裏面と底面５２とに渡って延在するように構成されている。
【００５０】
この芳香剤１は、図１に示したように、前記各溝５１，５１に取り付けられる弾性体６１，６１を備えている。各弾性体６１，６１は、断面円形のゴムで形成されており、リング状に形成されている。
【００５１】
これにより、前記容器本体２１に前記蓋体２３を取り付けて前記各弾性体６１，６１を前記容器体１１の両側部に掛けた状態で、前記弾性体６１，６１が前記容器本体２１と前記蓋体２３とを包囲するとともに、各側部に設けられた溝５１，５１内に前記弾性体６１，６１の一部が配置された状態で取り付けられるように構成されている。
【００５２】
このとき、前記各弾性体６１，６１は、前記溝５１，５１より突出する外径寸法に設定されており、各弾性体６１，６１は、前記容器体１１の外表面より外側へ突出するように構成されている。
【００５３】
これにより、図３に示すように、当該芳香剤１を自動車や冷蔵庫のドアポケット７１に収容した状態で、前記弾性体６１，６１が前記ドアポケット７１の内側面７２に当接するように構成されている。
【００５４】
以上の構成にかかる本実施において、前記芳香剤１を冷蔵庫や自動車のドアポケット７１に収容した際には、容器体１１の外周面に突出して設けられた弾性体６１，６１が前記ドアポケット７１の内側面７２に当接する。
【００５５】
具体的に説明すると、図３中左側に示したように、前記芳香剤１が前記ドアポケット７１の前側面及び奥側面に挟持された状態では、前記容器体１１の前面側に突出した弾性体６１，６１が前記ドアポケット７１の前側面に当接するとともに、前記容器体１１の後面側に突出した弾性体６１，６１が前記ドアポケット７１の奥側面に当接する。
【００５６】
これにより、プラスチック製の前記容器体１１の前記ドアポケット７１内側面への直接当接が防止され、がたつき音の発生を抑えることができる。
【００５７】
このとき、この芳香剤１は、前記容器体１１に設けられた前記弾性体６１，６１が前記ドアポケット７１内側面に当接している。このため、ドアの開け閉め等による不用意な移動を防止することができる。
【００５８】
そして、前記弾性体６１，６１は、前記容器体１１の外周面より突出するように構成されており、後述するように揮散孔４２，・・・が前面あるいは後面に設けられ当該揮散孔４２，・・・がドアポケット７１内側面と対向する場合であっても、前記揮散孔４２，・・・が設けられた容器体１１の外周面とドアポケット７１内側面との間に間隙を確保することができる。
【００５９】
これにより、揮散薬剤の揮散通路を確保することができるため薬剤の揮散効率が向上するととともに、揮散した薬剤によりドアポケットの内側面を痛めることを防止することができる。
【００６０】
また、図３中中央に示したように、前記芳香剤１の前面下角部が前記ドアポケット７１の前側面に当接するとともに、前記芳香剤１の後面が前記ドアポケット７１の奥側面に対向する状態では、前記芳香剤１の前面下角部より突出した弾性体６１，６１が前記ドアポケット７１の前側面に当接するとともに、前記容器体１１の後面側に突出した弾性体６１，６１が前記ドアポケット７１の奥側面に当接する。
【００６１】
さらに、図３中右側に示したように、前記芳香剤１の底面が前記ドアポケット７１の底面に当接するとともに、前記芳香剤１の後面が前記ドアポケット７１の奥側面に対向する状態では、前記芳香剤１の底面より突出した弾性体６１，６１が前記ドアポケット７１の底面に当接するとともに、前記容器体１１の後面側に突出した弾性体６１，６１が前記ドアポケット７１の奥側面に当接する。
【００６２】
これらの場合であっても、前述と同様の効果を得ることができる。
【００６３】
一方、前記容器体１１は、容器本体２１と、該容器本体２１の開口部２２を閉鎖する蓋体２３とで構成されており、収容された薬剤である揮散体４３の交換が可能となる。
【００６４】
そして、前記弾性体６１，６１はリング状に形成されており、該弾性体６１，６１は前記容器本体２１と前記蓋体２３とを包囲するように取り付けられる。
【００６５】
このため、当該弾性体６１，６１によって前記蓋体２３の離脱を防止でき、前記容器本体２１の不用意な開放を防止することができる。これにより、がたつき音発生防止効果と、前記蓋体２３の離脱防止効果とを同時に得ることができる。
【００６６】
また、前記容器体１１に該容器体１１の周面に沿って延在するリング状の溝５１，５１が形成されており、該溝５１，５１内に前記弾性体６１，６１の一部が配置された状態で当該弾性体６１，６１が取り付けられる。
【００６７】
このため、取り付けた弾性体６１，６１のずれを阻止し、当該弾性体６１，６１の不用意な離脱を防止することができる。
【００６８】
さらに、本実施の形態では、前記容器体１１が直方体形状に形成されており、該容器体１１の両側部に前記溝５１，５１が形成されている。
【００６９】
このため、前記各溝５１，５１内に前記弾性体６１，６１の一部を配置して取り付けた状態において、前記容器体１１の両側部の各弾性体６１，６１を前記ドアポケット７１の内側面７２に安定的に当接することができる。
【００７０】
【００７１】
（第二の実施の形態）
【００７２】
図４の（ａ）は第二の実施の形態を示す図であり、第一の実施の形態と同一又は同等部分に付いては、同符号を付して説明を割愛するとともに、異なる部分についてのみ説明する。
【００７３】
すなわち、この芳香剤１０１の容器本体２１が容器体１１の下部を構成しており、蓋体２３が容器体１１の上部を構成している。前記容器本体２１の前面及び後面には、複数の揮散孔４２，・・・が設けられており、蓋体２３の天面にも複数の揮散孔４２，・・・が設けられている。
【００７４】
この容器体１１の左側面及び右側面には、ゴム製の弾性体１１１，１１１が設けられており、各弾性体１１１，１１１は、その一部が前記容器本体２１の前面側と後面側と底面側とに延出している。また、前記各弾性体１１１，１１１は、その一部が前記蓋体２３の前面側と後面側と天面側とに延出しており、これにより前記容器体１１の各角部１１３，・・・は前記弾性体１１１，１１１で覆われている。
【００７５】
各弾性体１１１，１１１は、前記容器体１１の外周面より突出した状態で設けられており、当該容器体１１を前記ドアポケット７１に収容した状態で、該ドアポケット７１の内側面７２に前記弾性体１１１，１１１が当接するように構成されている。
【００７６】
以上の構成にかかる本実施においても、第一の実施の形態と同様の作用・効果を得ることができる。
【００７７】
また、本実施の形態では、前記弾性体１１１，１１１が前記容器体１１の各角部１１３，・・・に設けられている。
【００７８】
このため、前記容器体１１角部１１３，・・・のドアポケット７１内側面７２への当接を防止することができる。これにより、がたつき音の発生を抑えることができる。
【００７９】
なお、本発明は、本実施の形態の構造に限定されるものではない。例えば、対向する少なくとも一組の面と、その周囲をゴム製の弾性体１１１，１１１で覆うものであれば、前述と同様の作用効果を得ることができる。
【００８０】
このとき、蓋体２３の開閉方向は、縦方向のみならず、横方向であっても良い。
【００８１】
【００８２】
（第三の実施の形態）
【００８３】
図４の（ｂ）は第三の実施の形態を示す図であり、第二の実施の形態と同一又は同等部分に付いては、同符号を付して説明を割愛するとともに、異なる部分についてのみ説明する。
【００８４】
すなわち、本実施の形態の芳香剤２０１では、容器体１１の左側面及び右側面の弾性体１１１，１１１を廃止して、容器体１１の中央部に幅広帯状であってリング状の弾性体２０２が設けられている。
【００８５】
これにより、当該容器体１１を前記ドアポケット７１に収容した状態で、該ドアポケット７１の内側面７２に前記弾性体２０２が当接するように構成されている。
【００８６】
このとき、蓋体２３の開閉方向は、蓋体２３の開放防止上、縦方向が望ましいが、横方向であっても良い。
【００８７】
この場合、中央部の弾性体２０２が幅広のため、当該弾性体２０２がドアポケット７１の内側面７２に当接することで、前述と同様の作用効果を奏することができる。
【００８８】
【００８９】
（第四の実施の形態）
【００９０】
図４の（ｃ）は第四の実施の形態を示す図であり、第二の実施の形態と同一又は同等部分に付いては、同符号を付して説明を割愛するとともに、異なる部分についてのみ説明する。
【００９１】
すなわち、本実施の形態の芳香剤３０１では、互いに平行な四ヶ所の辺がゴム製の弾性体３０２，・・・で覆われている。
【００９２】
これにより、前記容器体１１の各角部１１３，・・・が前記弾性体３０２，・・・で覆われており、当該芳香剤３０１を前記ドアポケット７１に収容した状態で、該ドアポケット７１の内側面７２に前記弾性体３０２，・・・が当接するように構成されている。
【００９３】
このとき、蓋体２３の開閉方向は、縦方向及び横方向のいずれであっても良い。
【００９４】
この場合も、第二の実施の形態と同様の作用効果を得ることができる。
【００９５】
【００９６】
（第五の実施の形態）
【００９７】
図５の（ａ）は第五の実施の形態を示す図であり、第一の実施の形態と同一又は同等部分に付いては、同符号を付して説明を割愛するとともに、異なる部分についてのみ説明する。
【００９８】
すなわち、この芳香剤４０１の容器体４０２は、円柱状に形成されており、プラスチックで形成されている。該容器体４０２は、上方へ向けて開口した有底円筒状の容器本体４０３と、該容器本体４０３の開口部を閉鎖する蓋体４０４とで構成されており、該蓋体４０４は、下方へ向けて開口した有底円筒状に形成されている。
【００９９】
前記蓋体４０４の天面４１１には、円形の揮散孔４１２，・・・が複数設けられており、当該容器体４０２内の揮散体から揮散された薬剤を外部へ放出できるように構成されている。
【０１００】
前記容器体４０２には、前記蓋体４０４の天面４１１中央を横断した後、前記蓋体４０４及び前記容器本体４０３の側面を縦断するとともに、該容器本体４０３の底面中央を横断する溝４１５が連続的に形成されており、この溝４１５は、断面円弧状に形成されている。
【０１０１】
この溝４１５には、ゴム製のリング状の弾性体４２１が掛けられており、該弾性体４２１は、断面円形状に形成され、前記容器体４０２の外面より突出するように構成されている。
【０１０２】
これにより、前記容器体４０２の天面と側面との角部１１３，１１３及び前記容器体４０２の底面と側面との角部１１３，１１３とが前記弾性体４２１，・・・で覆われており、当該芳香剤４０１を前記ドアポケット７１に収容した状態で、該ドアポケット７１の内側面７２に前記弾性体４１２，・・・が当接するように構成されている。
【０１０３】
このとき、前記蓋体４０４の開閉方向は、該蓋体４０４の開放防止上、縦方向が望ましいが、横方向であっても良い。
【０１０４】
このような芳香剤４０１であっても、前述と同様の作用効果を奏することができる。
【０１０５】
（第六の実施の形態）
【０１０６】
図５の（ｂ）は第六の実施の形態を示す図であり、第五の実施の形態と同一又は同等部分に付いては、同符号を付して説明を割愛するとともに、異なる部分についてのみ説明する。
【０１０７】
すなわち、この芳香剤５０１の容器体５０２は、円柱状に形成されており、プラスチックで形成されている。該容器体５０２は、上方へ向けて開口した有底円筒状の容器本体４０３と、該容器本体４０３の開口部を閉鎖する蓋体４０４とで構成されており、該蓋体４０４は、下方へ向けて開口した有底円筒状に形成されている。
【０１０８】
前記蓋体４０４の天面４１１には、円形の揮散孔４１２，・・・が複数設けられており、当該容器体５０２内の揮散体から揮散された薬剤を外部へ放出できるように構成されている。
【０１０９】
前記蓋体４０４の天面４１１と側面との角部１１３には、断面円弧状の溝５１１が形成されており、前記容器本体４０３の底面と側面との角部１１３にも、断面円弧状の溝５１１が形成されている。
【０１１０】
これらの溝５１１，５１１には、ゴム製のリング状の弾性体５２１，５２１が掛けられており、該弾性体５２１，５２１は、断面円形状に形成され、前記容器体５０２の外面より突出するように構成されている。
【０１１１】
これにより、前記蓋体４０４の天面４１１と側面との角部１１３及び前記容器本体４０３の底面と側面との角部１１３とが前記弾性体５２１，５２１で覆われており、当該芳香剤４０１を前記ドアポケット７１に収容した状態で、該ドアポケット７１の内側面７２に前記弾性体５２１，５２１が当接するように構成されている。
【０１１２】
このとき、前記蓋体４０４の開閉方向は、該蓋体４０４は縦方向が望ましいが、横方向であっても良い。
【０１１３】
このような芳香剤５０１であっても、前述と同様の作用効果を奏することができる。
【符号の説明】
【０１１４】
１    芳香剤
１１    容器体
２１    容器本体
２２    開口部
２３    蓋体
４２    揮散孔
５１    溝
６１    弾性体
７１    ドアポケット
１０１    芳香剤
１１１    弾性体
１１３    角部
２０１    芳香剤
３０１    芳香剤
４０１    芳香剤
４１５    溝
４２１    弾性体
５０１    芳香剤
５１１    溝
５２１    弾性体
【図１】
2014050491.tif 000003
【図２】
2014050491.tif 000004
【図３】
2014050491.tif 000005
【図４】
2014050491.tif 000006
【図５】
2014050491.tif 000007